(57)【要約】【課題】本発明は、保護回路専用の回路パタンや電極を設けることなく、静電気破壊を防止できる半導体装置並びにその製造方法を提供することを目的とする。【解決手段】本発明に係る半導体装置は、半導体基板と、前記半導体基板上に設けられ、不純物が拡散された半導体層と、前記半導体層に設けられた電気回路と、前記半導体層上に設けられ、前記電気回路に接続された電極と、前記半導体層上に設けられ、接地又は一定電圧に維持された第１の定電圧導体と、を備え、前記電極及び前記第１の定電圧導体は前記半導体層にそれぞれオーミック接触し、前記半導体層は、トラップが導入されたトラップ導入領域を前記電極と前記第１の定電圧導体との間に有することを特徴とするものである。【選択図】図２
2010212523.tif 000002
【特許請求の範囲】
【請求項１】
半導体基板と、
前記半導体基板上に設けられ、不純物が拡散された半導体層と、
前記半導体層に設けられた電気回路と、
前記半導体層上に設けられ、前記電気回路に接続された電極と、
前記半導体層上に設けられ、接地又は一定電圧に維持された第１の定電圧導体と、
を備え、
前記電極及び前記第１の定電圧導体は前記半導体層にそれぞれオーミック接触し、
前記半導体層は、トラップが導入されたトラップ導入領域を前記電極と前記第１の定電圧導体との間に有し、
前記トラップ導入領域は、第１の閾値電圧より大きい電圧が前記電極と前記第１の定電圧導体との間に印加された場合に、前記電極と前記第１の定電圧導体との間において前記トラップ導入領域を介して放電が生じるようなトラップ密度を有し、
前記第１の閾値電圧は、前記電気回路の通常動作において前記電極と前記第１の定電圧導体との間に印加される電圧より大きく、静電気によって前記電極と前記第１の定電圧導体との間に印加される電圧より小さいことを特徴とする半導体装置。
【請求項２】
半導体基板と、
前記半導体基板上に設けられた電気回路と、
前記半導体基板上に設けられ、前記電気回路に接続された電極と、
前記半導体基板上に設けられ、接地又は一定電圧に維持された第１の定電圧導体と、
を備え、
前記半導体基板は、第１の閾値電圧より大きい電圧が前記電極と前記第１の定電圧導体との間に印加された場合に、前記電極と前記第１の定電圧導体との間において前記半導体基板を介して放電が生じるようなトラップ密度を有し、
前記第１の閾値電圧は、前記電気回路の通常動作において前記電極と前記第１の定電圧導体との間に印加される電圧より大きく、静電気によって前記電極と前記第１の定電圧導体との間に印加される電圧より小さいことを特徴とする半導体装置。
【請求項３】
半導体基板と、
前記半導体基板上に設けられた電気回路と、
前記半導体基板上に設けられ、前記電気回路に接続された電極と、
前記半導体基板の上面から下面まで貫通し、接地又は一定電圧に維持された第１の定電圧導体と、
を備え、
前記半導体基板は、閾値電圧より大きい電圧が前記電極と前記第１の定電圧導体との間に印加された場合に、前記電極と前記第１の定電圧導体との間において前記半導体基板を介して放電が生じるようなトラップ密度を有し、
前記閾値電圧は、前記電気回路の通常動作において前記電極と前記第１の定電圧導体との間に印加される電圧より大きく、静電気によって前記電極と前記第１の定電圧導体との間に印加される電圧より小さいことを特徴とする半導体装置。
【請求項４】
半導体基板と、
前記半導体基板上に設けられた電気回路と、
前記半導体基板上に設けられ、前記電気回路に接続された電極と、
前記半導体基板の下面において前記電極と対向する位置に設けられた窪み内側に設けられ、接地又は一定電圧に維持された第１の定電圧導体と、
を備え、
前記半導体基板は、閾値電圧より大きい電圧が前記電極と前記第１の定電圧導体との間に印加された場合に、前記電極と前記第１の定電圧導体との間において前記半導体基板を介して放電が生じるようなトラップ密度を有し、
前記閾値電圧は、前記電気回路の通常動作において前記電極と前記第１の定電圧導体との間に印加される電圧より大きく、静電気によって前記電極と前記第１の定電圧導体との間に印加される電圧より小さいことを特徴とする半導体装置。
【請求項５】
前記半導体層上に設けられ、接地又は一定電圧に維持された第２の定電圧導体と、
前記電極と前記第１の定電圧導体との間、及び前記電極と前記第２の定電圧導体との間にそれぞれ設けられた、第１及び第２の抵抗パタンと、
を更に備え、
前記トラップ導入領域は、前記電極と前記第２の定電圧導体との間にも存在し、
前記トラップ導入領域は、第２の閾値電圧より大きい電圧が前記電極と前記第２の定電圧導体との間に印加された場合に、前記電極と前記第２の定電圧導体との間において前記トラップ導入領域を介して放電が生じるようなトラップ密度を有し、
前記第２の閾値電圧は、前記電気回路の通常動作において前記電極と前記第２の定電圧導体との間に印加される電圧より大きく、静電気によって前記電極と前記第２の定電圧導体との間に印加される電圧より小さく、
前記第２の閾値電圧は、前記第１の閾値電圧より大きく、
前記第１の抵抗パタンは、前記電極と前記第１の定電圧導体との間において前記トラップ導入領域を介して放電が生じた場合に焼き切れ、
前記第２の抵抗パタンは、前記電極と前記第２の定電圧導体との間において前記トラップ導入領域を介して放電が生じた場合に焼き切れることを特徴とする請求項１に記載の半導体装置。
【請求項６】
前記半導体基板上に設けられ、接地又は一定電圧に維持された第２の定電圧導体と、
前記電極と前記第１の定電圧導体との間、及び前記電極と前記第２の定電圧導体との間にそれぞれ設けられた第１及び第２の抵抗パタンと、
を更に備え、
前記半導体基板は、第２の閾値電圧より大きい電圧が前記電極と前記第２の定電圧導体との間に印加された場合に、前記電極と前記第２の定電圧導体との間において前記半導体基板を介して放電が生じるようなトラップ密度を有し、
前記第２の閾値電圧は、前記電気回路の通常動作において前記電極と前記第２の定電圧導体との間に印加される電圧より大きく、静電気によって前記電極と前記第２の定電圧導体との間に印加される電圧より小さく、
前記第２の閾値電圧は、前記第１の閾値電圧より大きく、
前記第１の抵抗パタンは、前記電極と前記第１の定電圧導体との間において前記半導体基板を介して放電が生じた場合に焼き切れ、
前記第２の抵抗パタンは、前記電極と前記第２の定電圧導体との間において前記半導体基板を介して放電が生じた場合に焼き切れることを特徴とする請求項２に記載の半導体装置。
【請求項７】
前記第１の定電圧導体が、前記電気回路を囲うガードリングであることを特徴とする請求項１又は２に記載の半導体装置。
【請求項８】
前記半導体基板は、不純物が拡散された第１及び第２の不純物拡散領域を有し、
前記電極及び前記第１の定電圧導体は、前記第１及び第２の不純物拡散領域にそれぞれオーミック接触していることを特徴とする請求項２〜４のいずれか１項に記載の半導体装置。
【請求項９】
請求項１に記載の半導体装置の製造方法であって、
前記半導体層の成長温度の条件、前記半導体層の成長雰囲気の条件、イオン注入の条件、アニールの条件、電子線照射の条件、荷電粒子照射の条件、中性子照射の条件、ガンマ線照射の条件、及び放射光照射の条件の少なくとも一つの条件を調整することにより、前記トラップ導入領域の前記トラップ密度を調整することを特徴とする半導体装置の製造方法。
【請求項１０】
第１導電型の半導体基板と、
前記第１導電型の半導体基板上に設けられた第１導電型の半導体層と、
前記第１導電型の半導体層上に設けられ、トラップが導入されたトラップ導入層と、
前記第１導電型の半導体層の一部に第２導電型の不純物が拡散された第２導電型不純物拡散領域と、
前記第２導電型不純物拡散領域及び前記トラップ導入層に接続された第１の電極と、
前記第１導電型の半導体基板に接続された第２の電極と、
を備え、
前記トラップ導入層は、閾値電圧より大きい電圧が前記第１の電極と前記第１導電型の半導体層との間に印加された場合に、前記第１の電極と前記第１導電型の半導体層との間において前記トラップ導入層を介して放電が生じるようなトラップ密度を有し、
前記閾値電圧は、通常動作において前記第１の電極と前記第１導電型の半導体層との間に印加される電圧より大きく、静電気によって前記第１の電極と前記第１導電型の半導体層との間に印加される電圧より小さいことを特徴とする光半導体装置。
【請求項１１】
前記トラップ導入層は、前記第１導電型の半導体層の前記第２導電型不純物拡散領域上には設けられていないことを特徴とする請求項１０に記載の光半導体装置。
【請求項１２】
前記トラップ導入層の前記トラップ密度は、前記第１の電極の近傍よりも前記光半導体装置の外周領域の方が高いことを特徴とする請求項１０に記載の光半導体装置。
【請求項１３】
第１導電型の半導体基板と、
前記第１導電型の半導体基板上に設けられた第１導電型の半導体層と、
前記第１導電型の半導体層上に設けられた活性層と、
前記活性層上に設けられた第２導電型の半導体層と、
前記第２導電型の半導体層上に設けられ、中央に開口を有し、トラップが導入されたトラップ導入層と、
前記開口において前記第２の導電型の半導体層に接続され、前記トラップ導入層に接続された第１の電極と、
前記第１導電型の半導体基板に接続された第２の電極と、
を備え、
前記トラップ導入層は、閾値電圧より大きい電圧が前記第１の電極と前記第２導電型の半導体層との間に印加された場合に、前記第１の電極と前記第２導電型の半導体層との間において前記トラップ導入層を介して放電が生じるようなトラップ密度を有し、
前記閾値電圧は、通常動作において前記第１の電極と前記第２導電型の半導体層との間に印加される電圧より大きく、静電気によって前記第１の電極と前記第２導電型の半導体層との間に印加される電圧より小さいことを特徴とする光半導体装置。
【請求項１４】
前記第１の電極と前記トラップ導入層との間に設けられ、不純物が拡散された不純物拡散半導体層を更に備え、前記第１の電極は前記不純物拡散半導体層にオーミック接触していることを特徴とする請求項１０又は１３に記載の光半導体装置。
【発明の詳細な説明】
【技術分野】
【０００１】
本発明は、半導体装置並びにその製造方法及び光半導体装置に関し、特に、専用の回路パタンや電極を設けることなく、静電気破壊を防止できる半導体装置並びにその製造方法及び、静電気破壊を防止する光半導体装置に関するものである。
【背景技術】
【０００２】
従来、半導体装置においては、静電気破壊を防止するために、静電気をアースに流す保護回路を設ける。そして、保護回路には、ダイオードやキャパシタや抵抗が用いられていた。ところが、これらダイオード等を用いた保護回路を使用すると、その寄生容量によって、電気特性が劣化することがあった。そこで、この問題の対策として、寄生容量を低減するために特別の回路パタンや電極から構成された保護回路が用いられていた（例えば、特許文献１、２参照）。
【先行技術文献】
【特許文献】
【０００３】
【特許文献１】特開２００７−４８９００号公報
【特許文献２】特開昭６２−３９０７７号公報
【発明の概要】
【発明が解決しようとする課題】
【０００４】
上述のダイオード等から構成された保護回路や、寄生容量を低減するために特別の回路パタンや電極から構成された保護回路を使用する場合、半導体装置に保護回路専用の回路パタンや電極を設ける必要があった。このため、半導体装置の構造が制限されていた。
【０００５】
また、従来のフォトダイオードやレーザダイオードなどの光半導体装置では、静電気が電極に印加された場合、静電気による電流が、それらの受光部や電流狭窄部に集中して流れることにより、静電気破壊するという問題が生じていた。
【０００６】
本発明は上述した課題を解決するためになされ、保護回路専用の回路パタンや電極を設けることなく、静電気破壊を防止できる半導体装置並びにその製造方法を提供することを目的とする。また、静電気破壊を防止できる光半導体装置を提供することを目的とする。
【課題を解決するための手段】
【０００７】
第１の発明に係る半導体装置は、半導体基板と、前記半導体基板上に設けられ、不純物が拡散された半導体層と、前記半導体層に設けられた電気回路と、前記半導体層上に設けられ、前記電気回路に接続された電極と、前記半導体層上に設けられ、接地又は一定電圧に維持された第１の定電圧導体と、を備え、前記電極及び前記第１の定電圧導体は前記半導体層にそれぞれオーミック接触し、前記半導体層は、トラップが導入されたトラップ導入領域を前記電極と前記第１の定電圧導体との間に有し、前記トラップ導入領域は、第１の閾値電圧より大きい電圧が前記電極と前記第１の定電圧導体との間に印加された場合に、前記電極と前記第１の定電圧導体との間において前記トラップ導入領域を介して放電が生じるようなトラップ密度を有し、前記第１の閾値電圧は、前記電気回路の通常動作において前記電極と前記第１の定電圧導体との間に印加される電圧より大きく、静電気によって前記電極と前記第１の定電圧導体との間に印加される電圧より小さいことを特徴とするものである。
【０００８】
第２の発明に係る半導体装置は、半導体基板と、前記半導体基板上に設けられた電気回路と、前記半導体基板上に設けられ、前記電気回路に接続された電極と、前記半導体基板上に設けられ、接地又は一定電圧に維持された第１の定電圧導体と、を備え、前記半導体基板は、第１の閾値電圧より大きい電圧が前記電極と前記第１の定電圧導体との間に印加された場合に、前記電極と前記第１の定電圧導体との間において前記半導体基板を介して放電が生じるようなトラップ密度を有し、前記第１の閾値電圧は、前記電気回路の通常動作において前記電極と前記第１の定電圧導体との間に印加される電圧より大きく、静電気によって前記電極と前記第１の定電圧導体との間に印加される電圧より小さいことを特徴とするものである。
【０００９】
第３の発明に係る半導体装置は、半導体基板と、前記半導体基板上に設けられた電気回路と、前記半導体基板上に設けられ、前記電気回路に接続された電極と、前記半導体基板の上面から下面まで貫通し、接地又は一定電圧に維持された第１の定電圧導体と、を備え、前記半導体基板は、閾値電圧より大きい電圧が前記電極と前記第１の定電圧導体との間に印加された場合に、前記電極と前記第１の定電圧導体との間において前記半導体基板を介して放電が生じるようなトラップ密度を有し、前記閾値電圧は、前記電気回路の通常動作において前記電極と前記第１の定電圧導体との間に印加される電圧より大きく、静電気によって前記電極と前記第１の定電圧導体との間に印加される電圧より小さいことを特徴とするものである。
【００１０】
第４の発明に係る半導体装置は、半導体基板と、前記半導体基板上に設けられた電気回路と、前記半導体基板上に設けられ、前記電気回路に接続された電極と、前記半導体基板の下面において前記電極と対向する位置に設けられた窪み内側に設けられ、接地又は一定電圧に維持された第１の定電圧導体と、を備え、前記半導体基板は、閾値電圧より大きい電圧が前記電極と前記第１の定電圧導体との間に印加された場合に、前記電極と前記第１の定電圧導体との間において前記半導体基板を介して放電が生じるようなトラップ密度を有し、前記閾値電圧は、前記電気回路の通常動作において前記電極と前記第１の定電圧導体との間に印加される電圧より大きく、静電気によって前記電極と前記第１の定電圧導体との間に印加される電圧より小さいことを特徴とするものである。
【００１１】
第５の発明に係る半導体装置の製造方法は、第１の発明に係る半導体装置の製造方法であって、前記半導体層の成長温度の条件、前記半導体層の成長雰囲気の条件、イオン注入の条件、アニールの条件、電子線照射の条件、荷電粒子照射の条件、中性子照射の条件、ガンマ線照射の条件、及び放射光照射の条件の少なくとも一つの条件を調整することにより、前記トラップ導入領域の前記トラップ密度を調整することを特徴とするものである。
【００１２】
第６の発明に係る光半導体装置は、第１導電型の半導体基板と、前記第１導電型の半導体基板上に設けられた第１導電型の半導体層と、前記第１導電型の半導体層上に設けられ、トラップが導入されたトラップ導入層と、前記第１導電型の半導体層の一部に第２導電型の不純物が拡散された第２導電型不純物拡散領域と、前記第２導電型不純物拡散領域及び前記トラップ導入層に接続された第１の電極と、前記第１導電型の半導体基板に接続された第２の電極と、を備え、前記トラップ導入層は、閾値電圧より大きい電圧が前記第１の電極と前記第１導電型の半導体層との間に印加された場合に、前記第１の電極と前記第１導電型の半導体層との間において前記トラップ導入層を介して放電が生じるようなトラップ密度を有し、前記閾値電圧は、通常動作において前記第１の電極と前記第１導電型の半導体層との間に印加される電圧より大きく、静電気によって前記第１の電極と前記第１導電型の半導体層との間に印加される電圧より小さいことを特徴とするものである。
【００１３】
第７の発明に係る光半導体装置は、第１導電型の半導体基板と、前記第１導電型の半導体基板上に設けられた第１導電型の半導体層と、前記第１導電型の半導体層上に設けられた活性層と、前記活性層上に設けられた第２導電型の半導体層と、前記第２導電型の半導体層上に設けられ、中央に開口を有し、トラップが導入されたトラップ導入層と、前記開口において前記第２の導電型の半導体層に接続され、前記トラップ導入層に接続された第１の電極と、前記第１導電型の半導体基板に接続された第２の電極と、を備え、前記トラップ導入層は、閾値電圧より大きい電圧が前記第１の電極と前記第２導電型の半導体層との間に印加された場合に、前記第１の電極と前記第２導電型の半導体層との間において前記トラップ導入層を介して放電が生じるようなトラップ密度を有し、前記閾値電圧は、通常動作において前記第１の電極と前記第２導電型の半導体層との間に印加される電圧より大きく、静電気によって前記第１の電極と前記第２導電型の半導体層との間に印加される電圧より小さいことを特徴とするものである。
【発明の効果】
【００１４】
本発明により、保護回路専用の回路パタンや電極を設けることなく、半導体装置の静電気破壊を防止できる。また、本発明により、光半導体装置の静電気破壊を防止できる。
【図面の簡単な説明】
【００１５】
【図１】実施の形態１に係る半導体装置の上面図である。
【図２】図１のＡ−Ａ´における断面図である。
【図３】実施の形態１に係る半導体装置に設けられた高周波回路の等価回路図である。
【図４】実施の形態１に係る高周波信号用電極とグランド電極の間の電圧・電流特性を示す図である。
【図５】実施の形態２に係る半導体装置の断面図である。
【図６】実施の形態３に係る半導体装置の断面図である。
【図７】実施の形態４に係る半導体装置の上面図である。
【図８】実施の形態５に係る半導体装置の上面図である。
【図９】実施の形態６に係る光半導体装置の断面図である。
【図１０】第１の比較例に係る光半導体装置の断面図である。
【図１１】実施の形態７に係る光半導体装置の断面図である。
【図１２】実施の形態８に係る光半導体装置の断面図である。
【図１３】第２の比較例に係る光半導体装置の断面図である。
【発明を実施するための形態】
【００１６】
実施の形態１．
以下、実施の形態１に係る半導体装置について説明する。図１は、実施の形態１に係る半導体装置の上面図である。図２は、図１のＡ−Ａ´における断面図である。図３は、実施の形態１に係る半導体装置に設けられた高周波回路の等価回路図である。
【００１７】
図１及び図２に示すように、半導体基板１０上に、ｎ型半導体層（半導体層）１２が設けられている。ｎ型半導体層１２に、高周波回路（電気回路）１４が設けられている。半導体基板１０の下面に、接地されたグランド導体１６が設けられている。ｎ型半導体層１２上に、高周波信号用電極（電極）１８及びグランド電極（第１の定電圧導体）２０が設けられている。高周波信号用電極１８はｎ型半導体層１２にオーミック接触し、高周波回路１４に接続されている。グランド電極２０もｎ型半導体層１２にオーミック接触している。グランド電極２０は半導体基板１０を貫通する基板貫通導体２２を介してグランド導体１６に接続され、接地されている。
【００１８】
図３に示すように、高周波回路１４は入力端子２４及び出力端子２６を備える。上述の高周波信号用電極１８は入力端子２４及び出力端子２６に対応する。入力端子２４はキャパシタ２８を介してＦＥＴ３０に接続されている。そして、高周波回路１４は、グランド電極２０又は他のビアを介して接地されている。
【００１９】
また、図２に示すように、ｎ型半導体層１２は、トラップが導入されたトラップ導入領域３２を高周波信号用電極１８とグランド電極２０との間に有する。トラップ導入領域３２は、閾値電圧より大きい電圧が高周波信号用電極１８とグランド電極２０の間に印加された場合に、両電極間においてトラップ導入領域３２を介して放電が生じるようなトラップ密度を有する。そして、閾値電圧は、高周波回路１４の通常動作において高周波信号用電極１８とグランド電極２０の間に印加される電圧より大きく、静電気によって高周波信号用電極１８とグランド電極２０の間に印加される電圧より小さい。
【００２０】
ここで、トラップ導入領域３２の形成方法について説明する。トラップ導入領域３２は、ｎ型半導体層１２に対して、イオン注入、アニール、電子線照射、荷電粒子照射、中性子照射、ガンマ線照射、及び放射光照射の少なくとも一つを実行することによって形成する。また、ｎ型半導体層１２を成長させる際にもトラップが導入されている。このため、トラップ導入領域３２のトラップ密度は、ｎ型半導体層１２の成長温度の条件、ｎ型半導体層１２の成長雰囲気の条件、イオン注入の条件、アニールの条件、電子線照射の条件、荷電粒子照射の条件、中性子照射の条件、ガンマ線照射の条件、及び放射光照射の条件の少なくとも一つの条件を調整することによって調整することができる。
【００２１】
以下、課題の解決原理を説明する。
Applied Physics Express 1 (2008)011103の「Effects of Traps Formed by Threading Dislocations on Off-State Breakdown Characteristics in GaN Buffer Layer in AlGaN/GaN Heterostructure Field-Effect Transistors」に紹介されているように、半導体層上に設けられた２つの電極、及び両電極間の半導体層にトラップが導入された領域を想定した場合、両電極間においてトラップが導入された領域を介して流れる電流が急激に増大するときの両電極間の閾値電圧は下記式で表せることが知られている。
【００２２】
【数１】
2010212523.tif 000003
【００２３】
数１において、VＴＦＬは閾値電圧、eは電子電荷、Ｎｔはトラップが導入された領域のトラップ密度、εは誘電率、ｄは2つの電極間の距離である。閾値電圧はトラップ密度に比例する。つまり、トラップ密度を調整することによって、閾値電圧を調整することができる。
【００２４】
上述したように、トラップ導入領域３２は、閾値電圧より大きい電圧が高周波信号用電極１８とグランド電極２０の間に印加された場合に、両電極間においてトラップ導入領域３２を介して放電が生じるようなトラップ密度を有する。そして、トラップ密度は、閾値電圧が高周波回路１４の通常動作において両電極間に印加される電圧より大きくなるように、そして、静電気によって両電極間に印加される電圧より小さくなるように調整されている。
【００２５】
図４は、実施の形態１に係る高周波信号用電極とグランド電極の間の電圧・電流特性を示す図である。静電気による電圧が両電極間に印加される場合、静電気による電圧は閾値電圧（VＴＦＬ）より大きいため、両電極間の電圧・電流特性はｂ−ｂ´で示す特性となる。従って、両電極間においてトラップ導入領域３２を介して流れる電流が急激に増大し、放電が生じる。これにより、静電気による電流がグランドに流れる。これにより、静電気による電流が高周波回路１４側に流れるのは抑制される。この結果、高周波回路１４の静電気破壊を防止できる。
【００２６】
一方、高周波回路１４の通常動作の電圧が両電極間に印加される場合、電圧は閾値電圧（VＴＦＬ）より小さいため、両電極間の電圧・電流特性はａ−ａ´で示す特性となる。両電極間においてはほとんど電流が流れない。更に、保護回路を設けないから寄生容量が生じることはなく、高周波特性が劣化する問題も生じない。
【００２７】
以上のように、半導体装置においては、保護回路専用の回路パタンや電極を設けることなく、また、高周波回路１４の高周波特性を劣化させることなく、静電気破壊を防止できる。
【００２８】
なお、本実施形態においては、半導体装置として、ＧａＡｓ等の化合物半導体から構成される高周波半導体デバイスを想定しているが、半導体装置はこれに限定されない。半導体装置として、低周波で動作するＭＯＳＦＥＴを適用しても同様の効果が得られる。
【００２９】
また、半導体装置においては、半導体基板１０上にはｎ型半導体層１２の代わりにｐ型半導体層を設けてもよい。ｐ型半導体層を設けたとしても、高周波信号用電極１８及びグランド電極２０はｐ型半導体層にそれぞれオーミック接触することができる。
【００３０】
また、半導体装置においては、トラップ導入領域３２のトラップ密度のみによって閾値電圧を調整しているが、閾値電圧の調整方法はこれに限らない。数１に示すように、閾値電圧は２つの電極間の距離の２乗に比例するので、高周波信号用電極１８とグランド電極２０の間の距離を調整することによっても調整できる。      
【００３１】
また、ｎ型半導体層１２の不純物がトラップ導入領域３２に残留した残留不純物の濃度によっても、閾値電圧は影響を受ける。このため、その残留不純物の濃度を調整することよって、閾値電圧を調整できる。更に、トラップ導入領域３２に不純物を拡散し、トラップ導入領域３２のバンドギャップを調整することによっても、閾値電圧を調整できる。
【００３２】
実施の形態２．
以下、実施の形態２に係る半導体装置について説明する。図５は、実施の形態２に係る半導体装置の断面図である。
【００３３】
半導体基板１０上に、高周波回路１４（図５には、図示せず）が設けられている。半導体基板１０の下面に、接地されたグランド導体１６が設けられている。半導体基板１０の上面から下面まで貫通する基板貫通導体（第１の定電圧導体）２２が設けられている。基板貫通導体２２は、グランド導体１６に接続され、接地されている。半導体基板１０上に、高周波信号用電極１８及びグランド電極（第１の定電圧導体）２０が設けられている。高周波信号用電極１８は、高周波回路１４に接続されている。グランド電極２０は、基板貫通導体２２を介しグランド導体１６に接続され、接地されている。
【００３４】
また、半導体基板１０は、高周波信号用電極１８、グランド電極２０、及び基板貫通導体２２の隣接領域にそれぞれ、ｎ型不純物が拡散されたｎ型不純物拡散領域３４を有している。これらの電極及び導体は、ｎ型不純物拡散領域３４にそれぞれオーミック接触している。
【００３５】
半導体基板１０は、閾値電圧より大きい電圧が、高周波信号用電極１８とグランド電極２０の間に印加された場合に、両電極間において半導体基板１０を介して放電が生じるようなトラップ密度を有する。閾値電圧は、高周波回路１４の通常動作において両電極間に印加される電圧より大きく、静電気によって両電極間に印加される電圧より小さい。
【００３６】
従って、静電気による電圧が両電極間に印加される場合、図５において実線の矢印で示すように、両電極間において半導体基板１０を介して流れる電流が急激に増大し、放電が生じる。このため、静電気による電流がグランドに流れる。これにより、静電気による電流が高周波回路１４側に流れるのは抑制される。この結果、高周波回路１４の静電気破壊を防止できる。
【００３７】
一方、高周波回路１４の通常動作において、電圧が両電極間に印加される場合、両電極間においてはほとんど電流が流れない。更に、保護回路を設けないから寄生容量が生じることはなく、高周波特性が劣化する問題も生じない。
【００３８】
以上のように、半導体装置においては、保護回路専用の回路パタンや電極を設けることなく、また、高周波回路１４の高周波特性を劣化させることなく、静電気破壊を防止できる。
【００３９】
以下、本実施形態の変形例を説明する。
変形例に係る半導体装置においては、本実施形態とは異なり、半導体基板１０は、閾値電圧より大きい電圧が、高周波信号用電極１８と基板貫通導体２２の間に印加された場合に、高周波信号用電極１８と基板貫通導体２２の間において半導体基板１０を介して放電が生じるようなトラップ密度を有する。そして、閾値電圧は、高周波回路１４の通常動作において高周波信号用電極１８と基板貫通導体２２の間に印加される電圧より大きく、静電気によって高周波信号用電極１８と基板貫通導体２２の間に印加される電圧より小さい。
【００４０】
従って、静電気による電圧が高周波信号用電極１８と基板貫通導体２２の間に印加される場合、図５において破線の矢印で示すように、高周波信号用電極１８と基板貫通導体２２の間において半導体基板１０を介して流れる電流が急激に増大し、放電が生じる。このため、静電気による電流がグランドに流れる。これにより、静電気による電流が高周波回路１４側に流れるのは抑制される。この結果、高周波回路１４の静電気破壊を防止できる。
【００４１】
一方、高周波回路１４の通常動作において、電圧が高周波信号用電極１８と基板貫通導体２２の間に印加される場合、高周波信号用電極１８と基板貫通導体２２の間においてはほとんど電流が流れない。更に、保護回路を設けないから寄生容量が生じることはなく、高周波特性が劣化する問題も生じない。
【００４２】
以上のように、変形例においても、保護回路専用の回路パタンや電極を設けることなく、また、高周波回路１４の高周波特性を劣化させることなく、静電気破壊を防止できる。
【００４３】
なお、本実施形態において、半導体基板１０は、電極及び導体の隣接領域にそれぞれｎ型不純物拡散領域３４を有している。本実施形態においては、半導体基板１０は、ｎ型不純物拡散領域３４の代わりにｐ型不純物拡散領域を有するものでも構わない。電極及び導体は、ｐ型不純物拡散領域にもそれぞれオーミック接触することができる。
【００４４】
また、半導体基板１０は、ｎ型不純物拡散領域３４又はｐ型不純物拡散領域を有しなくても構わない。この場合、電極及び導体は、それぞれオーミック接触することなく、半導体基板１０にそれぞれショットキー接触する。この場合にも、同様の効果が得られる。なお、閾値電圧は、電極及び導体がオーミック接触するか、ショットキー接触するかによって影響を受ける。このため、どちらを選択するかによって、閾値電圧を調整できる。
【００４５】
実施の形態３．
以下、実施の形態３に係る半導体装置について実施の形態２と異なる点のみを説明する。図６は、実施の形態３に係る半導体装置の断面図である。
【００４６】
半導体基板１０の下面において、高周波信号用電極１８と対向する位置に設けられた窪み内側に下面電極（第１の定電圧導体）３６が設けられている。下面電極３６はグランド導体１６に接続され、接地されている。また、半導体基板１０は、下面電極３６の隣接領域にｎ型不純物が拡散されたｎ型不純物拡散領域３４を有している。下面電極３６は、ｎ型不純物拡散領域３４にオーミック接触している。
【００４７】
半導体基板１０は、閾値電圧より大きい電圧が、高周波信号用電極１８と下面電極３６の間に印加された場合に、両電極間において半導体基板１０を介して放電が生じるようなトラップ密度を有する。閾値電圧は、高周波回路１４の通常動作において両電極間に印加される電圧より大きく、静電気によって両電極間に印加される電圧より小さい。
【００４８】
従って、静電気による電圧が高周波信号用電極１８と下面電極３６の間に印加される場合、図６において実線の矢印で示すように、両電極間において半導体基板１０を介して流れる電流が急激に増大し、放電が生じる。このため、静電気による電流がグランドに流れる。これにより、静電気による電流が高周波回路１４側に流れるのは抑制される。この結果、高周波回路１４の静電気破壊を防止できる。
【００４９】
一方、高周波回路１４の通常動作において、電圧が高周波信号用電極１８と下面電極３６の間に印加される場合、両電極間においてはほとんど電流が流れない。更に、保護回路を設けないから寄生容量が生じることはなく、高周波特性が劣化する問題も生じない。
【００５０】
以上のように、半導体装置においては、保護回路専用の回路パタンを設けることなく、また、高周波回路１４の高周波特性を劣化させることなく、静電気破壊を防止できる。
【００５１】
実施の形態４．
以下、実施の形態４に係る半導体装置について説明する。図７は、実施の形態４に係る半導体装置の上面図である。
【００５２】
半導体基板１０（図７には、図示せず）上に、ｎ型半導体層（半導体層）１２が設けられている。ｎ型半導体層１２に、高周波回路（電気回路）１４が設けられている。半導体基板１０の下面に、接地されたグランド導体１６（図７には、図示せず）が設けられている。ｎ型半導体層１２上に、高周波信号用電極（電極）１８、第１のグランド電極（第１の定電圧導体）２０、第２のグランド電極（第２の定電圧導体）３８、及び第３のグランド電極４０が設けられている。これらの電極は、ｎ型半導体層１２にそれぞれオーミック接触している。高周波信号用電極１８は高周波回路１４に接続されている。第１のグランド電極２０、第２のグランド電極３８、及び第３のグランド電極４０はグランド導体１６に接続され、接地されている。
【００５３】
高周波信号用電極１８は、半導体装置の長手方向と同一方向に長く伸びている。そして、高周波信号用電極１８と第１のグランド電極２０との間の距離ｄ１、高周波信号用電極１８と第２のグランド電極３８との間の距離ｄ２、及び高周波信号用電極１８と第３のグランド電極４０との間の距離ｄ３は、ｄ１、ｄ２、ｄ３の順に大きくなる。また、高周波信号用電極１８と第１〜第３のグランド電極との間には、第１の抵抗パタン４２、第２の抵抗パタン４４、及び第３の抵抗パタン４６がそれぞれ設けられている。
【００５４】
ｎ型半導体層１２は、トラップが導入されたトラップ導入領域３２を高周波信号用電極１８と第１のグランド電極２０との間に有する。トラップ導入領域３２は、第１の閾値電圧より大きい電圧が両電極間に印加された場合に、両電極間においてトラップ導入領域３２を介して放電が生じるようなトラップ密度を有する。第１の閾値電圧は、高周波回路１４の通常動作において両電極間に印加される電圧より大きく、静電気によって両電極間に印加される電圧より小さい。
【００５５】
また、トラップ導入領域３２は、高周波信号用電極１８と第２のグランド電極３８との間にも存在する。そして、トラップ導入領域３２は、第２の閾値電圧より大きい電圧が高周波信号用電極１８と第２のグランド電極３８の間に印加された場合に、両電極間においてトラップ導入領域３２を介して放電が生じるようなトラップ密度を有する。第２の閾値電圧は、高周波回路１４の通常動作において両電極間に印加される電圧より大きく、静電気によって両電極間に印加される電圧より小さい。
【００５６】
更に、トラップ導入領域３２は、高周波信号用電極１８と第３のグランド電極４０との間にも存在する。そして、トラップ導入領域３２は、第３の閾値電圧より大きい電圧が両電極間に印加された場合に、両電極間においてトラップ導入領域３２を介して放電が生じるようなトラップ密度を有する。第３の閾値電圧は、高周波回路１４の通常動作において両電極間に印加される電圧より大きく、静電気によって両電極間に印加される電圧より小さい。
【００５７】
数１に示したように、トラップ導入領域３２を介して放電が生じる閾値電圧は、２つの電極間の距離（ｄ）の２乗に比例する。上述したように、高周波信号用電極１８と第１〜第３のグランド電極との距離ｄ１〜ｄ３は、ｄ１、ｄ２、ｄ３の順に大きくなる。このため、高周波信号用電極１８と第１〜第３のグランド電極との間の閾値電圧は、第１の閾値電圧、第２の閾値電圧、第３の閾値電圧の順に大きくなる。
【００５８】
そして、第１の抵抗パタン４２は、高周波信号用電極１８と第１のグランド電極２０の間においてトラップ導入領域３２を介して放電が生じた場合に焼き切れる。第２の抵抗パタン４４は、高周波信号用電極１８と第２のグランド電極３８の間において、同様に放電が生じた場合に焼き切れる。第３の抵抗パタン４６は、高周波信号用電極１８と第３のグランド電極４０の間において、同様に放電が生じた場合に焼き切れる。
【００５９】
従って、本実施形態においては、第１の抵抗パタン４２が焼切れたかを確認することによって、高周波信号用電極１８に静電気による電圧が印加されたかどうかをモニタできる。また、第１〜第３の抵抗パタン４６が焼き切れたかどうかをそれぞれ確認することによって、静電気によって高周波信号用電極１８に印加された電圧の大きさをモニタできる。
【００６０】
以下、本実施形態の変形例について本実施形態と異なる点のみを説明する。
変形例に係る半導体装置においては、ｎ型半導体層１２及びトラップ導入領域３２は設けられていない。高周波信号用電極１８及び第１〜第３のグランド電極は、半導体基板１０上に設けられている。また、半導体基板１０は、高周波信号用電極１８及び第１〜第３のグランド電極の隣接領域にそれぞれ、ｎ型不純物が拡散されたｎ型不純物拡散領域３４を有している。高周波信号用電極１８及び第１〜第３のグランド電極は、ｎ型不純物拡散領域３４にそれぞれオーミック接触している。
【００６１】
そして、半導体基板１０にトラップが導入されている。高周波信号用電極１８と第１のグランド電極２０との間に第１の閾値電圧より大きい電圧を印加した場合には、高周波信号用電極１８と第１のグランド電極２０との間において半導体基板１０を介して放電が生じる。高周波信号用電極１８と第２のグランド電極３８との間に第２の閾値電圧より大きい電圧を印加した場合には、高周波信号用電極１８と第２のグランド電極３８との間において半導体基板１０を介して放電が生じる。高周波信号用電極１８と第３のグランド電極４０との間に第３の閾値電圧より大きい電圧を印加した場合には、高周波信号用電極１８と第３のグランド電極４０との間において半導体基板１０を介して放電が生じる。
【００６２】
第１〜第３の抵抗パタンは、高周波信号用電極１８と第１〜第３のグランド電極との間において半導体基板１０を介してそれぞれ放電が生じた場合に、それぞれ焼き切れる。
【００６３】
従って、本実施形態と同様に、高周波信号用電極１８に静電気による電圧が印加されたかどうかをモニタできる。また、静電気によって高周波信号用電極１８に印加された電圧の大きさをモニタできる。
【００６４】
実施の形態５．
以下、実施の形態５に係る半導体装置について実施の形態１とは異なる点のみを説明する。図８は、実施の形態５に係る半導体装置の上面図である。
【００６５】
半導体基板１０上に、高周波回路１４を囲うガードリング４８が設けられている。ｎ型半導体層１２が有するトラップ導入領域３２は、高周波信号用電極１８とガードリング４８との間にも存在する。そして、トラップ導入領域３２は、閾値電圧より大きい電圧が高周波信号用電極１８とガードリング４８の間に印加された場合に、高周波信号用電極１８とガードリング４８の間においてトラップ導入領域３２を介して放電が生じるようなトラップ密度を有する。そして、閾値電圧は、高周波回路１４の通常動作において高周波信号用電極１８とガードリング４８の間に印加される電圧より大きく、静電気によって高周波信号用電極１８とガードリング４８の間に印加される電圧より小さい。
【００６６】
従って、静電気による電圧が高周波信号用電極１８とガードリング４８の間に印加される場合、高周波信号用電極１８とガードリング４８の間においてトラップ導入領域３２を介して流れる電流が急激に増大し、放電が生じる。このため、静電気による電流がグランドに流れる。これにより、静電気による電流が高周波回路１４側に流れるのは抑制される。この結果、高周波回路１４の静電気破壊を防止できる。
【００６７】
一方、高周波回路１４の通常動作において、電圧が高周波信号用電極１８とガードリング４８の間に印加される場合、高周波信号用電極１８とガードリング４８の間においてはほとんど電流が流れない。更に、保護回路を設けないから寄生容量が生じることはなく、高周波特性が劣化する問題も生じない。
【００６８】
以上のように、半導体装置においては、保護回路専用の回路パタンや電極を設けることなく、また、高周波回路１４の高周波特性を劣化させることなく、静電気破壊を防止できる。
【００６９】
以下、本実施形態の変形例について本実施形態と異なる点のみを説明する。
変形例に係る半導体装置においては、本実施形態とは異なり、ｎ型半導体層１２及びトラップ導入領域３２は設けられていない。ガードリング４８は、半導体基板１０上に設けられている。半導体基板１０にはトラップが導入されている。高周波信号用電極１８とガードリング４８の間に、上述の閾値電圧より大きい電圧を印加した場合には、半導体基板１０を介して放電が生じる。
【００７０】
従って、変形例においては、本実施形態と同様に、保護回路専用の回路パタンや電極を設けることなく、また、高周波回路１４の高周波特性を劣化させることなく、静電気破壊を防止できる。
【００７１】
なお、本実施形態においては、ガードリング４８は接地されているが、一定電圧に維持されていてもよい。この場合も、同様の効果が得られる。
【００７２】
また、ガードリング４８はメタルから構成されたものでも、導電性エピ層から構成されたものでも構わない。どちらでも、上述の効果が得られる。
【００７３】
実施の形態６．
以下、実施の形態６に係る光半導体装置について説明する。図９は、実施の形態６に係る光半導体装置の断面図である。
【００７４】
実施の形態６に係る光半導体装置はフォトダイオードである。ｎ-ＩｎＰ基板５０上にｎ-ＩｎＧａＡｓ層５２が設けられている。ｎ-ＩｎＧａＡｓ層５２上に、第１のｎ-ＩｎＰ層５４が設けられている。第１のｎ-ＩｎＰ層５４上に、トラップが導入されたｉ-ＩｎＰ層（トラップ導入層）５６が設けられている。ｉ-ＩｎＰ層５６上に、第２のｎ-ＩｎＰ層５８が設けられている。第１のｎ-ＩｎＰ層５４、ｉ-ＩｎＰ層５６及び、第２のｎ-ＩｎＰ層５８の一部には、ｐ型の不純物が拡散されたｐ-不純物拡散領域（第２導電型不純物拡散領域）６０が設けられている。第１のｎ-ＩｎＰ層５４のｐ-不純物拡散領域６０及び、その領域に隣接する第１のｎ-ＩｎＰ層５４は、フォトダイオードの受光部６２に対応する部分である。そして、第２のｎ-ＩｎＰ層５８上には、正電極６４が設けられている。正電極６４はｐ-不純物拡散領域６０に接続され、第２のｎ-ＩｎＰ層５８を介してｉ-ＩｎＰ層５６に接続されている。正電極６４は第２のｎ-ＩｎＰ層５８にオーミック接触している。ｎ-ＩｎＰ基板５０には負電極６６が接続されている。
【００７５】
ｉ-ＩｎＰ層５６は、閾値電圧より大きい電圧が正電極６４と第１のｎ-ＩｎＰ層５４との間に印加された場合に、正電極６４と第１のｎ-ＩｎＰ層５４との間においてｉ-ＩｎＰ層５６を介して放電が生じるようなトラップ密度を有する。閾値電圧は、フォトダイオードの通常動作において正電極６４と第１のｎ-ＩｎＰ層５４との間に印加される電圧より大きく、静電気によって正電極６４と第１のｎ-ＩｎＰ層５４との間に印加される電圧より小さい。
【００７６】
以下、実施の形態６の効果を第１の比較例と比較しながら説明する。図１０は、第１の比較例に係る光半導体装置の断面図である。
【００７７】
第１の比較例に係る光半導体装置おいては、ｉ-ＩｎＰ層５６及び第２のｎ-ＩｎＰ層５８は設けられていない。正電極６４と、第１のｎ-ＩｎＰ層５４のｐ-不純物拡散領域６０以外の部分との間に、ＳｉＮ絶縁層６８が設けられている。従って、静電気による電圧が正電極６４と第１のｎ-ＩｎＰ層５４との間に印加された場合、静電気による電流が受光部６２に集中して流れる。これにより、光半導体装置が静電気破壊する。
【００７８】
一方、実施の形態１においては、正電極６４が、ｉ-ＩｎＰ層５６にも接続されている。そして、静電気による電圧が正電極６４と第１のｎ-ＩｎＰ層５４との間に印加された場合、正電極６４と第１のｎ-ＩｎＰ層５４との間においてｉ-ＩｎＰ層５６を介して流れる電流が急激に増大し、放電が生じる。一方、フォトダイオードの通常動作において、電圧が正電極６４と第１のｎ-ＩｎＰ層５４との間に印加される場合、電流が正電極６４と第１のｎ-ＩｎＰ層５４との間においてｉ-ＩｎＰ層５６を介して流れることはない。
【００７９】
これにより、静電気による電流が受光部６２に集中して流れるのは抑制され、光半導体装置が静電気破壊するのを防止できる。
【００８０】
なお、光半導体装置の外周領域７０のｉ-ＩｎＰ層５６においては、表面準位が生成し、又はバンド準位が変化する。これにより、光半導体装置の外周領域７０のｉ-ＩｎＰ層５６の閾値電圧が低下する。これを防止するために、ｉ-ＩｎＰ層５６のトラップ密度は、正電極６４の近傍よりも外周領域７０の方が高くなっている。
【００８１】
また、数１に示すように、閾値電圧は２つの電極間の距離の２乗に比例するので、ｉ-ＩｎＰ層５６の厚さを調整することによって、調整することができる。
【００８２】
また、ｉ-ＩｎＰ層５６上には、第２のｎ-ＩｎＰ層５８が設けられていなくてもよい。第２のｎ-ＩｎＰ層５８が設けられていない場合、正電極６４がｉ-ＩｎＰ層５６にショットキー接触する。この場合にも、同様の効果が得られる。
【００８３】
また、本実施形態の光半導体装置は、ｎ型であるｎ-ＩｎＰ基板５０が用いられているが、ｐ型の半導体基板を用い、導電型を逆にしたものの場合も、同様の効果が得られる。
【００８４】
更に、本実施形態においては、光半導体装置がフォトダイオードではなくアバランシェフォトダイオードの場合にも、同様の効果が得られる。
【００８５】
実施の形態７．
以下、実施の形態７に係る光半導体装置について、実施の形態６とは異なる点のみ説明する。図１１は、実施の形態７に係る光半導体装置の断面図である。
【００８６】
ｉ-ＩｎＰ層５６及び第２のｎ-ＩｎＰ層５８が、受光部６２に対応する第１のｎ-ＩｎＰ層５４のｐ-不純物拡散領域６０上において、設けられていない。正電極６４は、第１のｎ-ＩｎＰ層５４に直接接続されている。
【００８７】
以上のように、受光部６２上に、余分なｉ-ＩｎＰ層５６及び第２のｎ-ＩｎＰ層５８が設けられていないため、光半導体装置の受光感度を向上できる。
【００８８】
実施の形態８．
以下、実施の形態８に係る光半導体装置について説明する。図１２は、実施の形態８に係る光半導体装置の断面図である。
【００８９】
実施の形態７に係る光半導体装置はレーザダイオードである。ｎ-ＧａＡｓ基板７２上に、ｎ-ＡｌＧａＡｓクラッド層７４が設けられている。ｎ-ＡｌＧａＡｓクラッド層７４上に、ＡｌＧａＡｓ活性層７６が設けられている。ＡｌＧａＡｓ活性層７６上に、ｐ-ＡｌＧａＡｓクラッド層７８が設けられている。ｐ-ＡｌＧａＡｓクラッド層７８上に、第１のｐ-ＧａＡｓ層８０が設けられている。第１のｐ-ＧａＡｓ層８０上に、トラップが導入されたｉ-ＧａＡｓ層（トラップ導入層）８２が設けられている。ｉ-ＧａＡｓ層８２上に、第２のｐ-ＧａＡｓ層８４が設けられている。ｉ-ＧａＡｓ層８２及び第２のｐ-ＧａＡｓ層８４は中央に開口８６を有する。開口８６は、レーザダイオードの電流狭窄部８８に対応する部分である。そして、正電極９０が、開口８６において第１のｐ-ＧａＡｓ層８０に接続されている。また、正電極９０は、ｉ-ＧａＡｓ層８２に第２のｐ-ＧａＡｓ層８４を介して接続されている。更に、正電極９０は第２のｐ-ＧａＡｓ層８４にオーミック接触している。ｎ-ＧａＡｓ基板７２に負電極９２が接続されている。
【００９０】
ｉ-ＧａＡｓ層８２は、閾値電圧より大きい電圧が正電極９０と第１のｐ-ＧａＡｓ層８０に印加された場合に、正電極９０と第１のｐ-ＧａＡｓ層８０との間においてｉ-ＧａＡｓ層８２を介して放電が生じるようなトラップ密度を有する。閾値電圧は、レーザダイオードの通常動作において、正電極９０と第１のｐ-ＧａＡｓ層８０との間に印加される電圧より大きく、静電気によって正電極９０と第１のｐ-ＧａＡｓ層８０との間に印加される電圧より小さい。
【００９１】
以下、実施の形態８の効果を第２の比較例と比較しながら説明する。図１３は、第２の比較例に係る光半導体装置の断面図である。
【００９２】
第２の比較例においては、第１のｐ-ＧａＡｓ層８０上に、上述のｉ-ＧａＡｓ層８２及び第２のｐ-ＧａＡｓ層８４ではなく、ＳｉＯ２絶縁層９４が設けられている。従って、静電気による電圧が、正電極９０と第１のｐ-ＧａＡｓ層８０との間に印加された場合、静電気による電流は、電流狭窄部８８に集中して流れる。これにより、光半導体装置が静電気破壊する。
【００９３】
一方、実施の形態１においては、正電極９０が、電流狭窄部８８よりも外周側でｉ-ＧａＡｓ層８２に接続されている。そして、静電気による電圧が正電極９０と第１のｐ-ＧａＡｓ層８０との間に印加された場合、正電極９０と第１のｐ-ＧａＡｓ層８０との間においてｉ-ＧａＡｓ層８２を介して流れる電流が急激に増大し、放電が生じる。一方、レーザダイオードの通常動作において、電圧が正電極９０と第１のｐ-ＧａＡｓ層８０との間に印加される場合、電流が正電極９０と第１のｐ-ＧａＡｓ層８０との間においてｉ-ＧａＡｓ層８２を介して流れることはない。
【００９４】
これにより、静電気による電流が電流狭窄部８８に集中して流れるのは抑制され、光半導体装置が静電気破壊するのを防止できる。
【００９５】
なお、ｉ-ＧａＡｓ層８２上には、第２のｐ-ＧａＡｓ層８４が設けられていなくてもよい。第２のｐ-ＧａＡｓ層８４が設けられていない場合、正電極９０がｉ-ＧａＡｓ層８２にショットキー接触する。この場合にも、同様の効果が得られる。
【００９６】
また、本実施形態の光半導体装置は、ｎ型であるｎ-ＧａＡｓ基板７２が用いられているが、ｐ型の半導体基板を用い、導電型を逆にしたものの場合も、同様の効果が得られる。
【００９７】
また、数１に示すように、閾値電圧は２つの電極間の距離の２乗に比例するので、ｉ-ＧａＡｓ層８２の厚さを調整することによって、調整することができる。
【符号の説明】
【００９８】
１０  半導体基板
１２  ｎ型半導体層（半導体層）
１４  高周波回路（電気回路
１６  グランド導体
１８  高周波信号用電極（電極）
２０  グランド電極（第１の定電圧導体）
２２  基板貫通導体
３２  トラップ導入領域
３４  ｎ型不純物拡散領域
３６  下面電極（第１の定電圧導体）
３８  第２のグランド電極（第２の定電圧導体）
４０  第３のグランド電極
４２  第１の抵抗パタン
４４  第２の抵抗パタン
４６  第３の抵抗パタン
４８  ガードリング
５０  ｎ-ＩｎＰ基板
５２  ｎ-ＩｎＧａＡｓ層
５４  第１のｎ-ＩｎＰ層
５６  ｉ-ＩｎＰ層（トラップ導入層）
５８  第２のｎ-ＩｎＰ層
６０  ｐ-不純物拡散領域（第２導電型不純物拡散領域）
６２  受光部
６４，９０  正電極
６６，９２  負電極
７０  外周領域
７２  ｎ-ＧａＡｓ基板
７４  ｎ-ＡｌＧａＡｓクラッド層
７６  ＡｌＧａＡｓ活性層
７８  ｐ-ＡｌＧａＡｓクラッド層
８０  第１のｐ-ＧａＡｓ層
８２  ｉ-ＧａＡｓ層（トラップ導入層）
８４  第２のｐ-ＧａＡｓ層
８６  開口
８８  電流狭窄部
【図１】
2010212523.tif 000004
【図２】
2010212523.tif 000005
【図３】
2010212523.tif 000006
【図４】
2010212523.tif 000007
【図５】
2010212523.tif 000008
【図６】
2010212523.tif 000009
【図７】
2010212523.tif 000010
【図８】
2010212523.tif 000011
【図９】
2010212523.tif 000012
【図１０】
2010212523.tif 000013
【図１１】
2010212523.tif 000014
【図１２】
2010212523.tif 000015
【図１３】
2010212523.tif 000016